(57)【要約】【課題】  既設の建物のエレベータ装置のリニューアルする際に必要となる重量物の揚重作業の容易化が可能な揚重装置を提供する。【解決手段】  階段１の傾斜面に設置される階段傾斜面用ガイドレール４ａ〜４ｄと、階段踊り場または上部階床面に設置される上部床面用ガイドレール４ｅ、４ｆと、階段１のステップの角部に設置される台座５ａ〜５ｆと、重量物１００を載置する台車６と、ワイヤロープ５１を介して台車６を牽引する揚重機５０を備え、台座５ａ〜５ｆは円弧状の形成された支持面を有して階段傾斜面用ガイドレール４ａ〜４ｄを支持するとともに、階段傾斜面用ガイドレール４ａ〜４ｄの下面が階段１の各ステップの角部から離間するように設置される。揚重機５０は階段傾斜面用ガイドレール間に設置される。【選択図】  図１
2020193089.tif 000002
【特許請求の範囲】
【請求項１】
重量物を階段の傾斜面を引き上げて、下部階床面から階段踊り場、階段踊り場から上部階床面、または下部階床面から上部階床面まで運搬する揚重装置において、
前記階段の傾斜面に設置される少なくとも一対の階段傾斜面用ガイドレールと、
前記階段のステップの角部に設置され該角部を覆うよう形成された台座であって、前記階段傾斜面用ガイドレールを支持し、前記階段傾斜面用ガイドレールの下面が前記階段の各ステップの角部から離間するように設置される台座と、
前記階段傾斜面用ガイドレール上を走行し、前記重量物を載置する台車と、
ロープを介して前記台車を牽引する揚重機を有し、
前記ロープは、一端が前記揚重機に巻き上げられ、他端が前記台車の一部に連結することを特徴とする揚重装置。
【請求項２】
請求項１に記載の揚重装置において、
前記台座は、前記階段傾斜面用ガイドレールの支持面が丸みを有するように形成されていることを特徴とする揚重装置。
【請求項３】
請求項２に記載の揚重装置において、
前記台座は、前記階段傾斜面用ガイドレールの横幅に対応する溝が形成され、かつ、前記溝の底面が前記支持面として丸みを有するように形成されていることを特徴とする揚重装置。
【請求項４】
請求項３に記載の揚重装置において、
前記階段傾斜面用ガイドレールは、前記台車の車輪の走行面と、前記走行面を上側としたときに前記走行面の長手方向の一方の側面から上側に延びるように形成された上側側壁と、前記走行面の長手方向の他方の側面から下側に延びるように形成された下側側壁から構成され、
前記台座は、前記溝の底面に前記階段傾斜面用ガイドレールの前記下側側壁が挿入される下側側壁収容溝が形成されていることを特徴とする揚重装置。
【請求項５】
請求項１から４の何れか一項に記載の揚重装置において、
前記階段傾斜面用ガイドレールは、長手方向に分割されており、クリップで連結して用いられることを特徴とする揚重装置。
【請求項６】
請求項１から４の何れか一項に記載の揚重装置において、
前記階段踊り場または上部階床面に設置され、前記階段傾斜面用ガイドレールに接続される一対の上部床面用ガイドレールを備えることを特徴とする揚重装置。
【請求項７】
請求項６に記載の揚重装置において、
前記揚重機は、前記一対の階段傾斜面用ガイドレール間に固定された揚重機設置プレートに取り付けられていることを特徴とする揚重装置。
【請求項８】
請求項７に記載の揚重装置において、
前記揚重機設置プレートは、前記一対の階段傾斜面用ガイドレールの下方側に固定されて、前記揚重機が前記階段の下方側に位置することを特徴とする揚重装置。
【請求項９】
請求項８に記載の揚重装置において、
前記階段踊り場または上部階床面側の前記一対の階段傾斜面用ガイドレール間に、前記ロープの方向を前記階段傾斜面用ガイドレールに沿う方向から前記上部床面用ガイドレールに沿う方向に転向させるプーリまたはガイドローラを備えることを特徴とする揚重装置。
【請求項１０】
請求項９に記載の揚重装置において、
前記一対の階段傾斜面用ガイドレールとの接続部とは反対側の前記一対の上部床面用ガイドレール間に前記ロープの方向を折り返すプーリまたはガイドローラを備えることを特徴とする揚重装置。
【請求項１１】
請求項１０に記載の揚重装置において、
前記ロープの他端は、前記台車の進行方向から見て後部側に連結されることを特徴とする揚重装置。
【請求項１２】
重量物を階段の傾斜面を引き上げて、下部階床面から階段踊り場、階段踊り場から上部階床面、または下部階床面から上部階床面まで運搬する揚重装置において、
前記階段の傾斜面に設置される少なくとも一対の階段傾斜面用ガイドレールと、
前記階段踊り場または上部階床面に設置され、前記階段傾斜面用ガイドレールに接続される一対の上部床面用ガイドレールと、
前記階段傾斜面用ガイドレール及び前記上部床面用ガイドレール上を走行し、前記重量物を載置する台車と、
前記一対の階段傾斜面用ガイドレール間に位置するように前記階段傾斜面用ガイドレールに固定され、ロープを介して前記台車を牽引する揚重機と、
前記階段踊り場または上部階床面側の前記一対の階段傾斜面用ガイドレール間に設けられ、前記ロープの方向を前記階段傾斜面用ガイドレールに沿う方向から前記上部床面用ガイドレールに沿う方向に転向させる転向用プーリまたは転向用ガイドローラと、
前記一対の階段傾斜面用ガイドレールとの接続部とは反対側の前記一対の上部床面用ガイドレール間に位置するように前記上部床面用ガイドレールに固定され、前記ロープを案内し前記ロープの方向を折り返す折り返し用プーリまたは折り返し用ガイドローラとを備え、
前記ロープは、一端が前記揚重機に巻き上げられ、他端が前記転向用プーリまたは転向用ガイドローラ及び前記折り返し用プーリまたは折り返し用ガイドローラを経由して前記台車の進行方向から見て後部側に連結されることを特徴とする揚重装置。
【発明の詳細な説明】
【技術分野】
【０００１】
本発明は、揚重装置に係り、特に階段の傾斜面における重量物の揚重作業に用いられる揚重装置に関する。
【背景技術】
【０００２】
例えば、既設の建物におけるエレベータ装置をリニューアルする際には、階段を使って、巻上機や制御盤、停電時の動力源として使用されるバッテリなどの重量物を引き上げて、重量物を建物上層部の機械室まで搬入する必要がある。
【０００３】
階段などの傾斜面で使用する重量物の揚重装置として、例えば、特許文献１に記載されたものがある。特許文献１では、階段の傾斜面に設けたガイドレールと、ガイドレールの上方部に設けた上部受け台と、ガイドレールの下方部及び中間に設けられて階段のステップへのガイドレールの支持を行う支持装置であってガイドレールの受け部の傾斜角度を調節可能とした支持装置と、電動チェーンブロックを搭載した運搬台車とを備え、電動チェーンブロックの自由端を上部受け台に固定し、電動チェーンブロックによってチェーンを巻取りながらガイドレールに沿って運搬台車を移動させるようにした重量物運搬装置が記載されている。また、特許文献１では、上部受け台を容易に着脱可能な構造とすることにより上部水平床部における運搬台車の移動の制限を小さくさせることが可能である。
【先行技術文献】
【特許文献】
【０００４】
【特許文献１】特開平９−４０３９９号公報
【発明の概要】
【発明が解決しようとする課題】
【０００５】
特許文献１では、ガイドレールの受け部の傾斜角を調節可能とした支持装置を使用することで、既設の建物の様々な階段の角度に合わせてガイドレールを敷くことができる。すなわち、特許文献１では、支持装置の受け部に連結された可動部と支持装置の支持部に固定された固定部がねじ連結されており、可動部の回転によって可動部を上下動させることによって受け部の傾斜角度を任意に設定する構造となっている。このため、特許文献１では、様々な階段の角度に対して可動部をその都度調整しなければならず、労力と時間を必要とする。
【０００６】
また、既設の建物のエレベータ装置のリニューアルする際に必要となる重量物の揚重作業の容易化のためには、様々な階段の傾斜に容易に対応できることの他に、階段踊り場または上部階の階段頂上の床面（ランディング）が狭小な（奥行が短い）場合でも揚重作業が容易に行えるようにすることが重要である。
【０００７】
本発明の目的は、上記課題の少なくとも一つを解決することを目的とするものであり、既設の建物のエレベータ装置のリニューアルする際に必要となる重量物の揚重作業の容易化が可能な揚重装置を提供することにある。
【課題を解決するための手段】
【０００８】
本発明は、上記目的を達成するため、特許請求の範囲の構成を用いるものである。例えば、本発明の揚重装置は、重量物を階段の傾斜面を引き上げて、下部階床面から階段踊り場、階段踊り場から上部階床面、または下部階床面から上部階床面まで運搬する揚重装置であって、前記階段の傾斜面に設置される少なくとも一対の階段傾斜面用ガイドレールと、前記階段のステップの角部に設置され該角部を覆うよう形成された台座であって、前記階段傾斜面用ガイドレールを支持し、前記階段傾斜面用ガイドレールの下面が前記階段の各ステップの角部から離間するように設置される台座と、前記階段傾斜面用ガイドレール上を走行し、前記重量物を載置する台車と、ロープを介して前記台車を牽引する揚重機を有し、前記ロープは、一端が前記揚重機に巻き上げられ、他端が前記台車の一部に連結することを特徴とするものである。
【発明の効果】
【０００９】
本発明によれば、既設の建物のエレベータ装置のリニューアルする際に必要となる重量物の揚重作業の容易化が可能となる。  
上記した以外の課題、構成及び効果は、以下の実施形態の説明により明らかにされる。
【図面の簡単な説明】
【００１０】
【図１】本発明の実施例の揚重装置の全体構成を示す斜視図。
【図２】本発明の実施例の揚重装置に用いられる階段傾斜面用ガイドレールの台座を示す斜視図。
【図３】本発明の実施例の揚重装置に用いられる階段傾斜面用ガイドレールを示す斜視図。
【図４】本発明の実施例の揚重装置に用いられる階段傾斜面用ガイドレールを台座に載置した状態を示す斜視図。
【図５】本発明の実施例の揚重装置に用いられる階段傾斜面用ガイドレールを連結して用いる場合の連結部を示す断面図。
【図６】本発明の実施例の揚重装置に用いられる階段傾斜面用ガイドレールを連結して用いる場合の連結部を示す側面図。
【図７Ａ】本発明の実施例の揚重装置に用いられる階段傾斜面用ガイドレールと上部床面用ガイドレールの連結部を示す側面図。
【図７Ｂ】本発明の実施例の揚重装置に用いられる上部床面用ガイドレールを示す斜視図（ａ）と側面図（ｂ）。
【図８】本発明の実施例の揚重装置に用いられる階段傾斜面用ガイドレールと上部床面用ガイドレールの連結部を示す上面図。
【図９】本発明の実施例の揚重装置に用いられるワイヤロープの方向を階段傾斜面用ガイドレールに沿う方向から上部床面用ガイドレールに沿う方向に転向させるガイドプーリを階段傾斜面用ガイドレール間に設置した状態を示す断面図。
【図１０】本発明の実施例の揚重装置に用いられるワイヤロープの方向を階段傾斜面用ガイドレールに沿う方向から上部床面用ガイドレールに沿う方向に転向させるガイドプーリを階段傾斜面用ガイドレール間に設置した状態を示す上面図。
【図１１】本発明の実施例の揚重装置に用いられる揚重機を階段傾斜面用ガイドレール間に設置した状態を示す断面図。
【図１２】本発明の実施例の揚重装置に用いられる揚重機を階段傾斜面用ガイドレール間に設置した状態を示す側面図。
【図１３】本発明の実施例の揚重装置に用いられるワイヤロープを台車に取り付けた状態を示す側面図。
【図１４】本発明の実施例の揚重装置に用いられるワイヤロープを台車に取り付けた状態を示す図で台車の進行方向から見た状態を示す正面図。
【図１５】本発明の実施例の揚重装置に用いられるワイヤロープの方向を折り返すプーリを上部床面用ガイドレール間に設置した状態を示す断面図。
【図１６】本発明の実施例の揚重装置に用いられるワイヤロープの方向を折り返すプーリを上部床面用ガイドレール間に設置した状態を示す上面図。
【発明を実施するための形態】
【００１１】
以下、図面を参照しながら本発明の一実施例を説明する。なお、各図面において共通の部材には、同一の符号を付している。  
図１に示すように、本実施例の揚重装置は、重量物１００を階段１の傾斜面を引き上げて、下部階床面２から階段踊り場（または上部階床面）３、階段踊り場から上部階床面、または下部階床面から上部階床面３まで運搬する揚重装置である。重量物１００としては、例えば、既設の建物におけるエレベータ装置をリニューアルする際に、建物上層部の機械室まで搬入する巻上機や制御盤、停電時の動力源として使用されるバッテリなどである。
【００１２】
本実施例の揚重装置は、階段１の傾斜面に設置される階段傾斜面用ガイドレール４ａ〜４ｄと、階段踊り場（または上部階床面）３に設置され、階段傾斜面用ガイドレール４ｃ、４ｄにそれぞれ接続される上部床面用ガイドレール４ｅ、４ｆと、階段１のステップの角部に設置された台座５ａ〜５ｆと、階段傾斜面用ガイドレール４ａ〜４ｄ及び上部床面用ガイドレール４ｅ、４ｆ上を走行し、重量物１００を載置する台車６と、ワイヤロープ５１を介して台車６を牽引する揚重機（巻上機）５０と、ワイヤロープ５１の方向を階段傾斜面用ガイドレール４ａ〜４ｄに沿う方向から上部床面用ガイドレール４ｅ、４ｆに沿う方向に転向させるガイドプーリ（またはガイドローラ）７と、ワイヤロープ５１の方向を折り返すプーリ（またはガイドローラ）８を備える。
【００１３】
本実施例では、階段傾斜面用ガイドレール４ａ〜４ｄ及び上部床面用ガイドレール４ｅ、４ｆはそれぞれ対となるように設置され、台車６の車輪６ａ〜６ｄの走行をガイドする。また、本実施例の階段傾斜面用ガイドレール４ａ〜４ｄは、ガイドレールの長手方向において分割され（例えば、４ａと４ｃ、４ｂと４ｄ）、これら分割された階段傾斜面用ガイドレールが連結して用いられる。階段の長さに応じて非分割で用いたり、分割数を多くしたりする。本実施例では階段傾斜面用ガイドレールは長手方向において二分割で構成されている。
【００１４】
図２に本実施例の台座の構成例を示す。図２に示す台座５は図１における台座５ｂ，５ｄ，５ｆの構成例を示す。図１における台座５ａ，５ｃ，５ｅは後述の下側側壁収容溝５０２の位置が図面右側に位置する点が異なるだけでその他は図２に示す構成と同じである。
【００１５】
本実施例における台座５の役割は、階段傾斜面用ガイドレールを既設ビルディングの階段１に設置した際に、階段１のステップ（踏面）の角部を傷付けることがないようにすること、および、既設ビルディングの階段の様々な傾斜角度に簡便に合わせて階段傾斜面用ガイドレールを設置できるようにすることである。
【００１６】
本実施例の台座５は、階段傾斜面用ガイドレールの横幅に対応する溝が形成されており、その溝に後述の図４に示すように、階段傾斜面用ガイドレールが収容される。台座５の溝の底面には階段傾斜面用ガイドレールの支持面５０１が形成される。階段傾斜面用ガイドレールを収容する溝を形成することにより、階段傾斜面用ガイドレールが台座５から滑り落ちることを防止できる。台座５の支持面５０１と反対側は、階段１のステップとの接触面であり、階段１のステップの角部を覆うように形成されている。また、台座５と階段１のステップとの接触面は、階段傾斜面用ガイドレールが階段１のステップに接触する場合よりも広くすることができ、階段傾斜面用ガイドレールや台車６、重量物１００の荷重が分散して階段１のステップに加わるようになる。これにより、階段１を傷付けること可能性をより低減することができる。
【００１７】
本実施例では、台座５の支持面５０１は、丸みを有するように円弧状に形成され、階段傾斜面用ガイドレールの底面と線接触するように形成されている。支持面を円弧状に形成することは必須ではないが、円弧状の支持面５０１とすることによって円弧に沿って階段傾斜面用ガイドレールの傾斜が容易に変更可能になるので、より簡便に階段の傾斜に合わせて階段傾斜面用ガイドレールを設置することができる。また、丸みを有する形状として、例えば、支持面５０１と階段傾斜面用ガイドレールの底面と点接触するように支持面５０１を球面状に形成しても良い。
【００１８】
台座５の支持面５０１の一方の側部には、後述の階段傾斜面用ガイドレールの下側側壁４０３を収容する下側側壁収容溝５０２が形成されており、下側側壁４０３の存在により階段傾斜面用ガイドレールの支持面５０１への接触が傾くことがないようにしている。また、階段傾斜面用ガイドレールの下側側壁４０３が台座５の下側側壁収容溝５０２に収容されるようにすることにより、階段傾斜面用ガイドレールの階段横方向の位置をより精度よく位置決めすることができる。
【００１９】
台座５は、一つの階段傾斜面用ガイドレールに対して少なくとも一つ設置され、図１では台座５ａ〜５ｆは一つの階段傾斜面用ガイドレールに対して一つ又は二つ設置されている。階段傾斜面用ガイドレールは、例えば、非分割型の階段傾斜面用ガイドレールの場合、下側が下部階床面２に支持され、階段傾斜面用ガイドレールの長手方向の中間が台座５で支持され、上側が上部床面用ガイドレールの端部で支持される。このとき、台座５は、階段傾斜面用ガイドレールの下面が階段の各ステップの角部から離間するように設けられる。すなわち、台座５は厚みを有しており、台座５に階段傾斜面用ガイドレールを載置したときに、台座５が設置されているステップだけでなく他のステップの角部にも階段傾斜面用ガイドレールの下面が接しないように、台座５の厚みが設定され、かつ、階段傾斜面用ガイドレールの長手方向の台座５の位置が設定される。
【００２０】
このように台座５を構成することにより、階段傾斜面用ガイドレールを階段１に設置する際に、階段１のステップの角部を傷付けることがなく、さらに、特許文献１に記載のように様々な階段の傾斜角度に対して可動部をその都度調整するという作業が不要であり、既設ビルディングの階段の様々な傾斜角度に階段傾斜面用ガイドレールの傾斜を簡便に合わせることができる。
【００２１】
図３に階段傾斜面用ガイドレールの構成例を示す。図３に示す階段傾斜面用ガイドレール４は図１における階段傾斜面用ガイドレール４ｂ，４ｄの構成例を示す。図１における階段傾斜面用ガイドレール４ａ，４ｃは階段傾斜面用ガイドレール４ｂ，４ｄと左右対称な形状を有する。
【００２２】
本実施例では、階段傾斜面用ガイドレール４は、台車６の車輪６ａ，６ｄの走行面４０１と、走行面４０１を上側としたときに走行面４０１の長手方向の一方の側面（図３では右側の側面）から上側に延びるように形成された上側側壁４０２と、走行面４０１の長手方向の他方の側面（図３では左側の側面）から下側に延びるように形成された下側側壁から構成されている。上側側壁４０２は台車６の車輪６ａ，６ｄの走行をガイドし脱輪を防止する。また、上側側壁４０２及び下側側壁４０３は階段傾斜面用ガイドレールの長手方向の撓みを小さくする機能を有する。そして、下側側壁４０３は、上述したように台座５の下側側壁収容溝５０２に収容される。
【００２３】
図４に階段傾斜面用ガイドレール４を台座５に載置した状態（収容した状態）を示す。
【００２４】
図５及び図６に二分割した階段傾斜面用ガイドレールの連結構造の構成例を示す。  
二分割構成の階段傾斜面用ガイドレール４ｂ，４ｄはガイドレールクリップで連結される。ガイドレールクリップは、例えば、押さえ部材４０ａと、押さえ部材４０ａと協働して階段傾斜面用ガイドレール４ｂ，４ｄを挟み込むレールクリップ４０ｂと、押さえ部材４０ａとレールクリップ４０ｂとを固定するボルト４０ｃとナット４０ｄで構成されている。なお、高さ調整用プレート４０ｅが必要に応じて押さえ部材４０ａとレールクリップ４０ｂとの間に設置される。また、図６に示すように、ボルト４０ｃの頭部は、レールクリップ４０ｂのボルト回り止め４０ｆ間に位置し、ナット４０ｄを回転させることによって締付け力を得るようになっている。
【００２５】
本実施例では階段傾斜面用ガイドレール４ｂ，４ｄの連結部において段差が生じるが特に問題はない。連結部において、階段下方に位置する階段傾斜面用ガイドレール４ｂが階段上方に位置する階段傾斜面用ガイドレール４ｄの上になるようになっていれば良い。これにより、台車６の車輪６ａ、６ｄが階段傾斜面用ガイドレール４ｂから階段傾斜面用ガイドレール４ｄに乗り移る際に、階段傾斜面用ガイドレール４ｄの端部がストッパにならないようになる。なお、階段傾斜面用ガイドレールのガイドレールクリップなどによる連結は、台座５と干渉しない位置で行われる。
【００２６】
図７Ａ及び図８に階段傾斜面用ガイドレールと上部床面用ガイドレールの連結構造（階段踊り場または上部階床面と階段境目における階段傾斜面用ガイドレールと上部床面用ガイドレール接続部）の構成例を示す。図７Ａにおいては階段傾斜面用ガイドレール４ｃと上部床面用ガイドレール４ｅ側の連結構造の状態を示す。また、図７Ｂに階段傾斜面用ガイドレール４ｃに連結される上部床面用ガイドレール４ｅの構成例を示す。また、図７Ｂ及び図８においては構造を分かり易くするため一部をかくれ線（破線）で示している。
【００２７】
図７Ｂに示すように、上部床面用ガイドレール４ｅは、台車６の車輪６ｂ，６ｃの走行面４０６と、走行面４０６を上側としたときに走行面４０６の長手方向の一方の側面（図７Ｂでは左側の側面）から上側に延びるように形成された上側側壁４０５から構成されている。上部床面用ガイドレールは階段踊り場または上部階床面に設置されるので、階段傾斜面用ガイドレールの下側側壁は設けられていない。また、上部床面用ガイドレールの横幅が階段傾斜面用ガイドレールの横幅よりも大きくなるように形成され、図８に示すように、階段傾斜面用ガイドレールの上側側壁が上部床面用ガイドレールの上側側壁よりも内側に位置するようになっている。これにより台車６が階段傾斜面用ガイドレールから上部床面用ガイドレールに乗り移る際に上部床面用ガイドレールの上側側壁が障害とならないようになる。
【００２８】
そして、図７Ｂに示すように、上部床面用ガイドレールの走行面４０６の接続部側は上側側壁４０５よりも短くなっており、図７Ａに示すように、接続部において、上部床面用ガイドレールの走行面４０６と階段傾斜面用ガイドレールの走行面４０１に大きな段差が生じないようにしている。さらに、階段傾斜面用ガイドレールとの接続部において上部床面用ガイドレールには、図７Ｂに示すように、切欠き部４０７が形成されている。切欠き部４０７にガイドレール接続ブラケット４１ａが位置できるようになっており、切欠き部４０７の空間を構成する上部床面用ガイドレールの側壁（ボルト挿入孔４０８が形成されている）と階段傾斜面用ガイドレールの下側側壁がガイドレール接続ブラケット４１ａを介してボルト・ナット４１ｂ、４１ｃを用いて固定されている。
【００２９】
図９及び図１０にワイヤロープ５１の方向を階段傾斜面用ガイドレールに沿う方向から上部床面用ガイドレールに沿う方向に転向させるガイドプーリ７を階段傾斜面用ガイドレール４ｃ、４ｄ間に設置する構成例を示す。  
ガイドプーリ７を取り付けるガイドプーリ台７ｅが取付けブラケット７ｆを介してボルト・ナット７ｇを用いて階段傾斜面用ガイドレール４ｃ、４ｄに固定されている。取付けブラケット７ｆは階段傾斜面用ガイドレール４ｃ、４ｄの底面に溶接接合されている。ガイドプーリ台７ｅにはガイドプーリ７（７ａ，７ｂ）が取付けブラケット７ｄを介してボルト・ナット７ｃを用いて固定されている。本実施例では、揚重機５０側に連結されるワイヤロープ５１はガイドプーリ７ａによりガイド及び方向転向され、重量物１００（台車６）側に連結されるワイヤロープ５１はガイドプーリ７ｂによりガイド及び方向転向される。
【００３０】
図１１及び図１２に揚重機５０を階段傾斜面用ガイドレール４ａ、４ｂ間に設置する構成例を示す。  
揚重機５０を設置される揚重機設置プレート５０ｂが取付けブラケット５０ｃを介してボルト・ナット５０ｄを用いて階段傾斜面用ガイドレール４ａ、４ｂに固定されている。取付けブラケット５０ｃは階段傾斜面用ガイドレール４ａ、４ｂの底面に溶接接合されている。揚重機５０は、モータ５５、モータ５５により駆動される巻取り軸５６、制御部５７を備え、これらを支持する揚重機ハウジング５０ａを介して揚重機設置プレート５０ｂにボルト５０５を用いて固定されている。
【００３１】
揚重機は、通常、階段踊り場や上部階床面に設置される場合が多いが、階段踊り場または上部階の階段頂上の床面が狭小であると、揚重機の設置作業が容易ではない。また、部品点数も多くなり、装置自体の組立・解体に時間がかかる可能性がある。本実施例では、揚重機を階段傾斜面用ガイドレール４ａ、４ｂ間に設置している。従って、階段踊り場または上部階の階段頂上の床面が狭小であっても特に問題ではない。また、揚重機設置プレート５０ｂに予め揚重機５０を取り付けておけば、揚重機５０の設置は、ボルト・ナット５０ｄを用いて揚重機設置プレート５０ｂを取付けブラケット５０ｃに固定するだけで作業が終了する。揚重機５０の設置場所は階段傾斜面用ガイドレール間であればどこでも良いが、揚重機５０の重量などを考慮すると、例えば、下部階床面（階段踊り場から上部階床面に重量物を引き上げる場合は階段踊り場）に近い階段傾斜面用ガイドレール４ａ、４ｂ間とすることが望ましい。
【００３２】
また、階段踊り場または上部階の階段頂上の床面が狭小の場合に、階段傾斜面用ガイドレール４ａ、４ｂ間に揚重機５０を設置することで揚重機の設置作業が容易となるが、この場合、ワイヤロープ５１の台車６への取り付け位置や、上部床面用ガイドレール４ｅ、４ｆ間に位置するワイヤロープ５１の方向を折り返すプーリの位置を工夫することにより、より効果的に揚重作業が行わる。
【００３３】
図１３及び１４に台車６及び台車６へのワイヤロープ５１の取り付け方の一例を示す。  本実施例では、二つの車輪付き台車６１、６２で台車６が構成されている。台車６の進行方向（重量物の引き上げ方向）から見て後方の車輪付き台車６２の進行方向側にワイヤロープ５１の端部に取り付けたフック５１ａが引っ掛けられる固定具６ｅが取り付けられている。台車６の進行方向から見て先方の車輪付き台車６１の進行方向と反対側にはワイヤロープ押さえ５２ｂが取付けブラケット５２ａを介して取り付けられている。図示省略しているが車輪付き台車６１、６２には重量物１００を固定するための固定具が設けられている。本実施例では車輪付き台車６１、６２は重量物１００を介して連結されている。別に車輪付き台車６１、６２を連結する部材を設けても良いが、重量物１００を介して車輪付き台車６１、６２を連結することにより部品点数が減少する他、重量物１００の大きさに応じて車輪付き台車６１、６２の間隔の調整が容易にできる。
【００３４】
図１５及び１６にワイヤロープ５１の方向を折り返すプーリ８を上部床面用ガイドレール４ｅ、４ｆ間に設置する構成例を示す。  
プーリ８を取り付けるプーリ取付けプレート８０がボルト・ナット８３を用いて上部床面用ガイドレール４ｅ、４ｆに固定されている。プーリ取付けプレート８０にはプーリ８が取付けブラケット８１を介して固定されている。取付けブラケット８１はプーリ取付けプレート８０に溶接接続され、プーリ８を回転可能に保持するシャフト８２が取り付けられている。本実施例では、プーリ８は階段から離れた上部床面用ガイドレール４ｅ、４ｆ間に位置するように設置されている。
【００３５】
上述のように、揚重機５０を傾斜面用ガイドレール間に設置し、台車の後方（車輪付き台車６２）にワイヤロープ５１を連結し、階段から離れた上部床面用ガイドレール間に設置したプーリ８によりワイヤロープ５１の方向を折り返してワイヤロープ５１を揚重機５０により巻き取るようにすることにより、階段踊り場や上部階の階段頂上の床面が狭小でも揚重機を用いた重量物の揚重作業を容易に行うことができる。
【００３６】
このように構成された揚重装置は、建屋の階段に傷を付けることなく、かつ、様々な階段角度に対して、簡便に傾斜面用ガイドレールを設置することが可能である。また、傾斜面用ガイドレールは階段の長さに合わせて、ガイドレールクリップなどの連結部材で連結する構成としたため、階段の長さに合わせて簡便に調整、組立が行える。また、揚重機を傾斜面用ガイドレールの間に設置する構成とし、台車の後部に揚重機との連結部を設け、階段から離れた上部床面用ガイドレールの間にワイヤロープを案内するプーリを設けているので、階段踊り場や上部階の階段頂上の床面の奥行が短い場合でも、揚重作業が可能となる。しかも迅速かつ安全に揚重作業を行える。また、重量物の揚重作業時間を短縮することができ、施工工数及び施工費用を低減させることができる。
【００３７】
本実施例の揚重装置を用いた揚重方法は次のようなステップを含む。  
すなわち、階段１に台座５（５ａ〜５ｆ）を設けるステップ、台座５（５ａ〜５ｆ）に傾斜面用ガイドレール４ａ〜４ｄを設けるステップ、階段踊り場（または上部階床面）３に上部床面用ガイドレール４ｅ、４ｆを設置し上部床面用ガイドレールと傾斜面用ガイドレールを接続するステップ、傾斜面用ガイドレール間に揚重機５０とガイドプーリ７を設けるステップ、上部床面用ガイドレール間にプーリ８を設けるステップ（上部床面用ガイドレール間に予めプーリ８を設置していても良い）、揚重機５０からガイドプーリ７、プーリ８を経由してワイヤロープ５１を下部階床面２まで設けるステップ、下部階床面２に位置する台車６に重量物１００を載置・取付けするステップ、下部階床面２に位置する台車にワイヤロープ５１を連結するステップ、揚重機５０を巻き上げて重量物１００を載置した台車６を階段踊り場（または上部階床面）３まで運搬するステップを含んでいる。これらのステップを繰り返し行うことで、重量物１００を下部階の床面から目的とする上部階の床面まで揚重可能となる。
【００３８】
なお、本実施例では、重量物がエレベータに関連して設けられる構造物を揚重する場合を例に説明したがこれに限られることはない。各種の重量物の揚重に際して本発明を適用することができる。
【００３９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【００４０】
例えば、傾斜面用ガイドレールを様々な階段の傾斜に容易に対応できることのみに注目した場合には、上部床面用ガイドレールを設置する必要はなく。また、揚重機の設置場所も傾斜面用ガイドレール間に設置する必要はない。上部床面用ガイドレールを設置しない場合、頂上階のステップにも台座を設置する。
【００４１】
また、階段踊り場または上部階の階段頂上の床面が狭小な場合でも揚重作業が容易に行えるようにすることのみに着目した場合には、ステップの角部に設置する台座は必須ではない。
【符号の説明】
【００４２】
１・・・階段、２・・・下部階床面、３・・・階段踊り場または上部階床面、４、４ａ〜４ｄ・・・傾斜面用ガイドレール、４ｅ、４ｆ・・・上部床面用ガイドレール、５、５ａ〜５ｆ・・・台座、６・・・台車、７・・・ガイドプーリ、８・・・プーリ、５０・・・揚重機（巻上機）、５１・・・ワイヤロープ、１００・・・重量物。
【図１】
2020193089.tif 000003
【図２】
2020193089.tif 000004
【図３】
2020193089.tif 000005
【図４】
2020193089.tif 000006
【図５】
2020193089.tif 000007
【図６】
2020193089.tif 000008
【図７Ａ】
2020193089.tif 000009
【図７Ｂ】
2020193089.tif 000010
【図８】
2020193089.tif 000011
【図９】
2020193089.tif 000012
【図１０】
2020193089.tif 000013
【図１１】
2020193089.tif 000014
【図１２】
2020193089.tif 000015
【図１３】
2020193089.tif 000016
【図１４】
2020193089.tif 000017
【図１５】
2020193089.tif 000018
【図１６】
2020193089.tif 000019